(57)【要約】【課題】デジタル放送の複数のチャンネル設定を短時間に完了する。【解決手段】デジタルテレビ放送を受信するテレビジョン１００において、ＣＰＵ２０がデジタルテレビ放送の特定チャンネル内のセクションデータを取得し、セクションデータに記載されているデジタル放送の複数の物理チャンネルにかかる複数のチャンネルプランをＲＯＭ２２に記録し、チャンネルアップダウンキーによりＲＯＭ２２に記録されたチャンネルプランにかかるチャンネルを順に選局することができるようになる。【選択図】図４
2012231381.tif 000002
【特許請求の範囲】
【請求項１】
デジタルテレビ放送を受信するデジタルテレビ放送受信装置において、
デジタルテレビ放送の特定チャンネル内のセクションデータを取得する取得手段と、
前記セクションデータに記載されているデジタル放送の複数の物理チャンネルにかかる複数のチャンネル情報を所定の記録媒体に記録する記録手段と、
前記所定の記録媒体に記録されたチャンネル情報にかかるチャンネルを順に選択するチャンネル選択手段と、
を備えることを特徴とするデジタルテレビ放送受信装置。
【請求項２】
前記チャンネル情報には、地上デジタル放送とケーブルテレビ放送の双方にかかるチャンネル情報が記載されており、前記所定の記録媒体においてチャンネルマップが地上デジタル放送とケーブルテレビ放送との記録エリアが別個に用意されていない場合は、地上デジタル放送とケーブルテレビ放送と特定周波数域には地上デジタル放送とケーブルテレビ放送のいずれか一方のチャンネル情報が排他的に記録されることを特徴とする請求項１に記載のデジタルテレビ放送受信装置。
【請求項３】
前記チャンネル情報には、地上デジタル放送とケーブルテレビ放送の双方にかかるチャンネル情報が記載されており、前記所定の記録媒体においてチャンネルマップが地上デジタル放送とケーブルテレビ放送との記録エリアが別個に用意されている場合は、地上デジタル放送のチャンネルマップの記録エリアに地上デジタル放送のチャンネル情報を記録し、ケーブルテレビ放送のチャンネルマップの記録エリアにケーブルテレビ放送のチャンネル情報を記録することを特徴とする請求項１または請求項２に記載のデジタルテレビ放送受信装置。
【請求項４】
操作部に対して所定のキー操作を行うと、前記所定の記録媒体に記録されたチャンネル情報が消去されることを特徴とする請求項１〜請求項３の何れか１項に記載のデジタルテレビ放送受信装置。
【請求項５】
デジタルテレビ放送を送信するデジタルテレビ放送送信装置とデジタルテレビ放送を受信するデジタルテレビ放送受信装置とを備えるデジタルテレビ放送システムにおいて、
前記デジタルテレビ放送送信装置は、デジタルテレビ放送の特定チャンネル内のセクションデータにデジタル放送の複数の物理チャンネルにかかる複数のチャンネル情報を記載して送信する送信手段を備え、
前記デジタルテレビ放送受信装置は、デジタルテレビ放送の特定チャンネル内のセクションデータを取得する手段と、前記セクションデータに記載されているデジタル放送の複数の物理チャンネルにかかる複数のチャンネル情報を所定の記録媒体に記録する手段と、前記所定の記録媒体に記録されたチャンネル情報にかかるチャンネルを順に選択するチャンネル選択手段と、を備えることを特徴とするデジタルテレビ放送システム。
【発明の詳細な説明】
【技術分野】
【０００１】
本発明はデジタルテレビ放送受信装置においてに関し、特に、デジタルテレビ放送を受信するデジタルテレビ放送受信装置においてに関する。
【背景技術】
【０００２】
テレビを工場で組立てる場合、ホワイトバランスの調整、各チャンネルの設定可否、クロマＩＣの動作の良否、等といった調整・確認のために複数の調整用データを使用する（特許文献１等参照）。これら調整用データは、工場内で放送される放送信号の複数のチャンネルにて放送されることがある（特許文献２等参照）。このとき、工場生産時の工場モードにおいて使用される複数種類の調整用信号をそれぞれ受信する複数チャンネルの周波数データを予め記憶手段に記憶することが一般的である（特許文献４等参照）。また、工場での調整に関する技術ではないが、受信している番組の画面表示が変化した場合にプリセットメモリに記憶されている周波数情報を更新する技術も開示されている（特許文献５等参照）。
【先行技術文献】
【特許文献】
【０００３】
【特許文献１】実用新案登録第３０８９６３４号公報
【特許文献２】特開２００２−１７６６６２号公報
【特許文献３】特開２００５−０１２７２３号公報
【特許文献４】特開２００１−１１２０３２号公報
【特許文献３】特開２０００−０９２４０２号公報
【発明の概要】
【発明が解決しようとする課題】
【０００４】
しかしながら、工場の変更時に（工場の移設、設備変更、他社の工場での設定、他社の製品に対する設定、等）プログラムに登録すべきチャンネル（放送チャンネル）が変更される場合があり、その都度、ソフトウェアの見直しが必要になっていた。
【０００５】
本発明は、上記課題に鑑みてなされたもので、デジタル放送の複数のチャンネル設定を短時間に完了することが可能なデジタルテレビ放送受信装置ならびにデジタルテレビ放送システムの提供を目的とする。
【課題を解決するための手段】
【０００６】
本発明の態様の１つは、デジタルテレビ放送を受信するデジタルテレビ放送受信装置において、デジタルテレビ放送の特定チャンネル内のセクションデータを取得する手段と、前記セクションデータに記載されているデジタル放送の複数の物理チャンネルにかかる複数のチャンネル情報を所定の記録媒体に記録する手段と、前記所定の記録媒体に記録されたチャンネル情報にかかるチャンネルを順に選択するチャンネル選択手段と、を備える構成とされる。
【０００７】
なお、前記デジタルテレビ放送受信装置は、他の機器に組み込まれた状態で実施されたり他の方法とともに実施されたりする等の各種の態様を含む。また、本発明は上記デジタルテレビ放送受信装置を備えるデジタルテレビ放送システムとしても実現可能である。
【発明の効果】
【０００８】
本発明によれば、デジタル放送の複数のチャンネル設定を短時間に完了することが可能なデジタルテレビ放送受信装置を提供することができる。
請求項２，３にかかる発明によれば、地上波デジタル放送とケーブルテレビ放送の双方にかかるチャンネル設定を短時間に完了することが可能となる。
請求項４にかかる発明によれば、工場においてチャンネル設定を行って各種の設定・調整を行った後、簡単な操作でデジタルテレビ放送受信装置を工場出荷状態に戻すことができる。
請求項５にかかる発明によれば、デジタル放送の複数のチャンネル設定を短時間に完了することが可能なデジタルテレビ放送システムを提供することができる。
【図面の簡単な説明】
【０００９】
【図１】デジタルテレビ放送システムの構成を示す図である。
【図２】テレビジョンの構成を示す図である。
【図３】チャンネルマップ格納エリアの概念図である。
【図４】チャンネル設定処理の流れを示すフローチャートである。
【図５】ＴＶＣＴである。
【発明を実施するための形態】
【００１０】
以下、下記の順序に従って本発明の実施形態を説明する。
（１）本実施形態の構成：
（２）チャンネル設定処理：
（３）各種変形例：
【００１１】
（１）本実施形態の構成： 
図１は、デジタルテレビ放送システムとしてのチャンネル設定システムの構成を示すブロック図である。同図に示すデジタルテレビ放送システムとしてのチャンネル設定システムＳは、デジタルテレビ放送を受信するデジタルテレビ放送受信装置としてのテレビジョン１００と、デジタルテレビ放送を送信するデジタルテレビ放送送信装置としてのデジタルテレビ放送設備２００と、を備えている。
【００１２】
デジタルテレビ放送設備２００においては、デジタルテレビ放送の特定チャンネル内のセクションデータに複数のチャンネルプランを記載して送信する送信手段を備えている。チャンネルプランは、デジタルテレビ放送の放送信号を作成するどの段階でセクションデータに記載されてもよく、各設備の利用態様に応じて適宜に選択される。
【００１３】
図２は、デジタルテレビ放送受信装置としてのテレビジョンの構成を示すブロック図である。同図において、テレビジョン１００は、チューナー１０と復調部１２とＴＳパーサー１４とデコーダー１６とディスプレイ１８とＣＰＵ２０とＲＯＭ２２とＲＡＭ２４とＯＳＤ部２６とリモコン２８とを備えている。
【００１４】
チューナー１０は、地上波によるデジタルテレビ放送とケーブルテレビによるデジタルテレビ放送との少なくとも一方を受信可能である。復調部１２は、デジタルテレビ放送を復調してＴＳ（トランスポートストリーム）を再生する。ＴＳパーサー１４は、ＴＳを解析して各種のデータを抽出する。デコーダー１６は、ＴＳから抽出したＭＰＥＧ信号を複号して映像信号と音声信号を再生する。ディスプレイ１８は映像信号に基づく映像を画面に表示する。ＯＳＤ部２６は、各種設定画面等のオンスクリーンディスプレイ信号を映像信号に重畳する。リモコン２８は使用者の操作入力を受付ける。ＣＰＵ２０は、ＲＯＭ２２に記憶されている制御プログラムに従った演算処理をＲＡＭ２４をワークエリアとして利用しつつ行うことによりテレビジョン１００全体を制御する制御部を構成する。ＲＯＭ２２には、チャンネルマップＣＭも記憶されている。
【００１５】
図３（ａ）は、ＲＯＭ２２におけるチャンネルマップＣＭの格納エリアの概念図である。同図において、格納エリアは、地上波にかかるチャンネルマップを格納するための地上波ＣＭ格納エリアとケーブルテレビにかかるチャンネルマップを格納するためのケーブルテレビＣＭ格納エリアとが別個に用意されている。リモコン２８等の操作により地上波のチャンネル設定が選択されると、ＣＰＵ２０は取得したチャンネル情報を地上波ＣＭ格納エリアの該当箇所に順次登録し、ケーブルテレビ放送のチャンネル設定が選択されると、ＣＰＵ２０は取得したチャンネル情報をケーブルテレビＣＭ格納エリアの該当箇所に順次登録する。むろん、後述するテーブルＩＤやパケットＩＤ等に基づいて、受信中のテレビ放送の種類を自動的に判断し、適宜にチャンネル情報の格納先を選択してもよい。
【００１６】
図３（ｂ）は、ＲＯＭ２２におけるチャンネルマップＣＭの格納エリアの他の概念図である。同図において、地上波とケーブルテレビにかかるチャンネルマップを格納するためのエリアは共通化されている。そのため、地上波とＣＡテレビ放送の双方で利用される特定周波数域（例えば、ＶＨＦ帯の低周波数域）のチャンネルは、何れか一方の放送波のチャンネルが排他的に登録される。何れのチャンネルを登録するかは適宜に決定され、地上波を優先してもよいしＣＡテレビ放送を優先してもよいし、新しく設定される放送波を優先してもよい。
【００１７】
（２）チャンネル設定処理： 
図４は、チャンネル設定処理の流れを示すフローチャートである。同図に示す処理は、ユーザーのリモコン２８操作による特定チャンネルの選局が行われた時、所定のプログラムによる特定チャンネルの選局が行われた時、等に、ＣＰＵ２０によって実行される。
【００１８】
処理が開始されると、ＴＳパーサー１４に特定チャンネルからパケットＩＤ、テーブルＩＤを取得させる（Ｓ１０）。そして、パケットＩＤ、テーブルＩＤが、予め定義された特定パケットＩＤ、特定テーブルＩＤであるか判断し（Ｓ２０）、予め定義された特定パケットＩＤ、特定テーブルＩＤでない場合は（Ｓ２０：ＮＯ）、特定チャンネルにチャンネルプランが放送されていない旨のメッセージをＯＳＤ部２６に表示させる等して作業者に通知して処理を終了する。
【００１９】
図５は、米国の地上波デジタル放送の規格に既定されているＴＶＣＴ（Terrestrial Virtual Channel Table）である。同図に示すＴＶＣＴでは、テーブルＩＤ（図のtable_id）のmnemonicが「0xC8」となっており、これは通常のテレビ放送にかかるＴＶＣＴであることを示している。また、通常のテレビ放送にかかるＴＶＣＴにおいては、パケットＩＤのmnemonicが「0x1FFB」とされる。これに対し本実施形態にかかる工場内放送の特定チャンネルのチャンネルテーブルは、一般のテレビ放送では利用されないパケットＩＤやテーブルＩＤが特定パケットＩＤや特定テーブルＩＤとして定義されており、例えば、パケットＩＤのmnemonicが「0x1FF0」、テーブルＩＤのmnemonicが「0x40」とされる。むろん、本発明は地上波デジタル放送に限らずケーブルテレビ放送にも適用可能であり、特定チャンネルにケーブルテレビ放送の規格であるＣＶＣＴ（Cable Virtual Channel table）と異なる特定パケットＩＤや特定テーブルＩＤを用いることにより同様のチャンネル設定が可能である。
【００２０】
特定チャンネルから特定パケットＩＤや特定テーブルＩＤが取得された場合は（Ｓ２０：ＹＥＳ）、当該チャンネルテーブルのセクションデータを順次取得しつつ各チャンネルプランをＲＯＭ２２のチャンネルマップの該当する位置に格納していく（Ｓ３０）。すなわち、ステップＳ１０，２０の処理を実行するＣＰＵ２０が、本実施形態においてデジタルテレビ放送の特定チャンネル内のセクションデータを取得する取得手段を構成し、ステップＳ３０の処理を実行するＣＰＵ２０が、本実施形態において前記セクションデータに記載されているデジタル放送の複数の物理チャンネルにかかる複数のチャンネル情報を所定の記録媒体に記録する記録手段を構成する。
【００２１】
ここで、各チャンネルプランには、少なくとも、図５に示すセクションデータのmajor_channel_number、minor_channel_number、modulation_mode、carrier_frequency、program_numberに対応するデータが含まれている。セクションデータに記載されている全チャンネルプランの格納が完了すると、例えば、チャンネル設定が完了した旨のメッセージをＯＳＤ部２６に表示させる等して作業者に通知して処理を終了する。
【００２２】
なお、工場設定における放送受信は、各チャンネル（特に物理チャンネル）におけるチューナー１０が選局動作の良否判定も兼ねており、チャンネルテーブルのセクションデータに記載されている複数のチャンネルプランが対応するメジャーチャンネル（物理チャンネル）は、少なくとも１以上であるものとする。すなわち、工場において放送されている放送波を受信して各種調整や設定を行うための映像が画面に表示されれば、当該放送波をチューナー１０が選局可能であると判定できる。このような観点からは、放送チャンネルの数が物理チャンネルの全数より少ない場合は、各放送チャンネルの属するメジャーチャンネル（物理チャンネル）が互いに異なるように選択されることが望ましく、放送チャンネルの数がメジャーチャンネルの全数以上の場合は、全てのメジャーチャンネルに満遍なく放送チャンネルが配置されることが望ましいと言える。
【００２３】
以上のチャンネル設定処理によれば、ＣＰＵ２０がデジタルテレビ放送の特定チャンネル内のセクションデータを取得し、セクションデータに記載されているデジタル放送の複数の物理チャンネルにかかる複数のチャンネルプランをＲＯＭ２２に記録し、リモコン２８のチャンネルアップダウンキーを操作することによりＲＯＭ２２に記録されたチャンネルプランにかかるチャンネルを順に選局することができるようになる。すなわち、リモコン２８のチャンネルアップダウンキーの操作に応じて、ＲＯＭ２２に記録されたチャンネルプランにかかるチャンネルを順にチューナー１０に選局させるＣＰＵ２０が、本実施形態において所定の記録媒体に記録されたチャンネル情報にかかるチャンネルを順に選択するチャンネル選択手段を構成する。
【００２４】
このように、放送波を利用してチャンネル設定を行うことにより、デジタル放送の複数のチャンネル設定を短時間に完了することが可能となる。よって、工場が変更されて工場内放送の放送チャンネルに変更があった場合でも、ソフトウェアを修正したりメニュー操作やＵＡＲＴ通信コマンドによる操作を行ってＲＯＭデータを更新したりすることなく、短時間で調整・設定用のチャンネル登録を完了することができる。
【００２５】
そして、チャンネル設定処理が完了するとテレビジョン１００において各種の調整・設定が行われ、各種の調整・設定が完了すると、リモコン２８に対して所定のキー操作を行うことにより、上述したチャンネル設定処理によってＲＯＭ２２に記憶されたチャンネルマップをＣＰＵ２０が消去し、ＲＯＭ２２のチャンネルマップ格納領域を出荷状態に初期化する。なお、リモコン２８は、本実施形態において操作部を構成する。
【００２６】
（３）各種変形例： 
（３−１）変形例１：
工場において放送されるチャンネル数が多いため１つのセクションデータ内に全チャンネルマップを格納できない場合は、複数のセクションデータに分けて格納してもよい。この場合、特定チャンネル内でセクションデータが繰り返し記載されることになる。各セクションデータにおいては、記載順に対応する数字が各セクションデータのsection_numberに記載され、last_section numberに全セクション数が記載される。そして、１つのセクションデータに記載されているチャンネルプランの登録が完了すると、last_section numberに一致するsection_numberのセクションデータにかかるチャンネルプランの登録が完了するまで、順次、次のセクションデータを取得してチャンネルプランの登録を繰り返し実行する。
【００２７】
（３−２）変形例２：
地上デジタル放送のセクションデータにケーブルテレビ放送用のチャンネル設定データを入れることができる。逆にケーブルテレビ放送のセクションデータに地上デジタル放送用のチャンネル設定データを入れることもできる。
この場合、セクションデータの各チャンネル情報に記載されているモジュレーションの変調方式に基づいて、地上波用のチャンネルマップに登録するか、ケーブルテレビ用のチャンネルマップに登録するかを判断してもよい。例えば、米国であれば、モジュレーションが「8VSB」の場合は地上デジタル放送のチャンネル情報と判断し、「64QAM」や「256QAM」であればケーブルテレビ放送のチャンネル情報と判断する。
また、地上波用のセクションデータとケーブルテレビ用のセクションデータとに異なるテーブルＩＤやパケットＩＤを付し、特定チャンネルにおいて地上波用のセクションデータを示すテーブルＩＤやパケットＩＤを検出した場合は地上デジタル放送のチャンネル情報と判断し、特定チャンネルにおいてケーブルテレビ用のセクションデータを示すテーブルＩＤやパケットＩＤを検出した場合は地上デジタル放送のチャンネル情報と判断するようにしてもよい。
【００２８】
（３−３）変形例３：
また、上述した実施形態では、工場での調整・設定のためのチャンネル設定を例に取り説明を行ったが、むろん、工場での調整・設定に限らず、通常の放送波におけるチャンネル設定にも利用可能である。すなわち、複数チャンネルの情報を載せて送信し、デジタルテレビ放送の複数の物理チャンネルにかかるチャンネル設定を特定チャンネルにおけるチャンネルテーブルに基づいて設定完了することも可能である。このような場合に、チャンネル設定がケーブルテレビ放送と地上波デジタルテレビ放送との何れに関するものであるかを上述した変形例２のようにして判別し、ＲＯＭ２２の適切な格納エリアに記録することができる。
【００２９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３０】
１０…チューナー、１２…復調部、１４…ＴＳパーサー、１６…デコーダー、１８…ディスプレイ、２０…ＣＰＵ、２２…ＲＯＭ、２４…ＲＡＭ、２６…ＯＳＤ部、２８…リモコン、１００…テレビジョン、２００…デジタルテレビ放送設備、ＣＭ…チャンネルマップ、Ｓ…チャンネル設定システム
【図１】
2012231381.tif 000003
【図２】
2012231381.tif 000004
【図３】
2012231381.tif 000005
【図４】
2012231381.tif 000006
【図５】
2012231381.tif 000007